(57)【特許請求の範囲】
【請求項１】
建物躯体に上面フラットな床型枠を設置し、その上に、軽量ボイド材を浮上状態にセットし、コンクリートを打設して、前記ボイド材を現場打ちコンクリート層の厚さ方向中間部に埋込み状態にする中空スラブの現場構築方法において、
セット前の前記ボイド材に、複数本の支柱材を分散状態に上下方向に貫通させ、該ボイド材を、支柱材に装着した上下のボイド材位置決め板にて上下方向から挟み込んで支柱材の高さ方向中間部に保持させた後、
これら支柱材の下端部を床型枠上面に非連結状態に接地させて、該ボイド材を床型枠上面から浮上状態にセットし、しかる後、
上端筋をセットして前記コンクリートの打設を行い、ボイド材の浮き上がりを、前記支柱材の上端部に装着した上端筋受け板に上端筋を受けさせることのみで上端筋の自重によって阻止するようにしたことを特徴とする中空スラブの現場構築方法。
【請求項２】
前記上下の各ボイド材位置決め板は、中心部から複数本の切込み線を放射方向に延ばして形成された支柱差込み部を有し、
該支柱差込み部に支柱を差し込み、差込み部における切込み線間の板片をボイド材とは反対のがわに弾性撓み変形させ、該板片を支柱材の外周部に弾接させて、ボイド材を支柱材の高さ方向中間部に保持しており、
前記支柱材の外周部は粗面に形成され、各ボイド材位置決め板の差込み部における切込み線間の板片の撓みの向きに位置決め板を移動させようとすると、前記粗面により、板片がつっぱりとなって移動を阻止し、該つっぱり力を越えた力で位置決め板を移動させると、板片は、その撓みの向きを、移動方向とは逆の向きに変更するようになされている請求項１に記載の中空スラブの現場構築方法。
【請求項３】
建物躯体に設置された上面フラットな床型枠の上に、軽量ボイド材を浮上状態にセットするのに用いられる浮上保持具であって、
ボイド材を上下方向に貫通する支柱材と、
支柱材に装着され、ボイド材を上下方向から挟み込んで支柱材の高さ方向中間部に保持する上下のボイド材位置決め板と
を備え、
前記上下の各ボイド材位置決め板は、中心部から複数本の切込み線を放射方向に延ばして形成された支柱差込み部を有し、
該支柱差込み部に支柱が差し込まれ、差込み部における切込み線間の板片をボイド材とは反対のがわに弾性撓み変形させ、該板片を支柱材の外周部に弾接させた状態にすることにより、ボイド材を支柱材の高さ方向中間部に保持するようになされており、かつ、
前記支柱材の外周部は粗面に形成され、各ボイド材位置決め板の差込み部における切込み線間の板片の撓みの向きに位置決め板を移動させようとすると、前記粗面により、板片がつっぱりとなって移動を阻止し、該つっぱり力を越えた力で位置決め板を移動させると、板片は、その撓みの向きを、移動方向とは逆の向きに変更するようになされていることを特徴とする軽量ボイド材の浮上保持具。
【発明の詳細な説明】
【０００１】
【発明の属する技術分野】
本発明は、中空スラブの現場構築方法に関する。
【０００２】
【従来の技術】
建物の建築において、中空スラブの構築は、従来より、オムニア版、カイザー版などのハーフＰＣ版を用い、これにエスレンボイドをセットし、現場にて上端筋を設置後、コンクリートを打設するというようにして行われている。
【０００３】
【発明が解決しようとする課題】
しかしながら、ハーフＰＣ版を用いた中空スラブの施工では、工場にて製作したハーフＰＣ版を現場搬入して組立てを行っていくため、工場から現場への輸送コストや、現場での揚重費用が高くつく問題がある。のみならず、ハーフＰＣ版を用いた施工では、工場でのハーフＰＣ版製作のためのコンクリートの打設作業と、現場での上端コンクリートの打設作業との２回のコンクリート打設作業を行う必要があり、必ずしも経済的な施工方法とはいえないものであった。
【０００４】
また、従来のハーフＰＣ版では、例えばオムニア版ではこれに用いられているオムニアトラスが水平一方向にのみ向けられているなど、基本的に一方向版として設計されており、荷重の伝達性能上、必ずしも満足いくものではなかった。
【０００５】
本発明は、上記のような従来の問題点に鑑み、ハーフＰＣ版の使用を排除し、中空スラブを現場にてコスト的に有利に構築することができるようにすることを課題とする。
【０００６】
【課題を解決するための手段】
上記の課題は、建物躯体に上面フラットな床型枠を設置し、その上に、軽量ボイド材を浮上状態にセットし、コンクリートを打設して、前記ボイド材を現場打ちコンクリート層の厚さ方向中間部に埋込み状態にすることを特徴とする中空スラブの現場構築方法によって解決される。
【０００７】
即ち、この構築方法では、ボイド材を床型枠から浮上状態にセットしてコンクリートを打設するものであるため、ボイド材の下面側にもコンクリートが充填され、ボイド材をコンクリート層の厚さ方向中間部に埋込み状態にすることができる。従って、従来のようなハーフＰＣ版の使用を排除でき、輸送コストや揚重費用を低く抑えてコスト的に有利に中空スラブを現場構築することができる。
【０００８】
上記の方法において、ボイド材のセットは、セット前の前記ボイド材に、複数本の支柱材を分散状態に上下方向に貫通させ、
中心部から複数本の切込み線を放射方向に延ばして形成された支柱差込み部を有する上下のボイド材位置決め板を用い、
これら両位置決め板にて埋込み板を上下方向から挟み込むように、各位置決め板の支柱差込み部に支柱を差し込み、差込み部における切込み線間の板片をボイド材とは反対のがわに弾性撓み変形させ、該板片を支柱材の外周部に弾接させて、ボイド材を支柱材の高さ方向中間部に保持し、
これら支柱材の下端部を床型枠上面に支承させる、というようにして行うのがよい。
【０００９】
このボイド材セット法では、位置決め板の差込み部における、切込み線間の板片がツッパリとなって、ボイド材を簡素な構造にて浮上状態にしっかりと位置決め保持することができる。また、支柱材をボイド材に差し込み、位置決め板にてボイド材を上下方向から挟み込むだけでよいから、ボイド材への装着も非常に容易であり、ボイド材を容易に浮上状態にセットすることができる。
【００１０】
また、ボイド材がボックス塊状のものからなり、多数のこのボイド材を用い、これらボイド材を、水平直交２方向に間隔的に配列してセットすると共に、ボイド材間の間隔スペースを利用して、スラブ梁筋及び／又はトラス筋を格子状にセットするようにするのがよい。これにより、荷重を２方向に伝達できる強度的性能に優れた中空スラブを形成することができる。
【００１１】
【発明の実施の形態】
次に、本発明の実施形態を図面に基づいて説明する。
【００１２】
図１（イ）に示すように、まず、建物躯体に床型枠１を必要に応じて支保工などを用いて設置する。床型枠１は、上面がフラットなもので、例えば、在来の床型枠のほか、フラットデッキなどが用いられてよい。施工後、天井となる捨て型枠を採用するのがよい。
【００１３】
そして、図１（ロ）に示すように、この床型枠１の上面にメッシュ状の上端筋２をセットし、次いで、図１（ハ）に示すように、軽量ボイド材３…のセットを行う。
【００１４】
ボイド材３は、例えば、発泡スチロール等の合成樹脂発泡材などにて製作されており、図３に示すように、直方体状ないし立法体状のボックス塊状のものからなる。寸法は、例えば、長さが９００ｍｍ、幅が４５０ｍｍ、高さ１３０ｍｍである。このボイド材３には、これを、床型枠１上面から浮上状態にセットするための浮上保持具４…が備えられている。浮上保持具４は、ボイド材３を安定良く浮上状態に設置するため、一つのボイド材３に対し複数、分散状態に備えられている。図示実施形態の場合は、一つのボイド材に対し、６個の浮上保持具４…が備えられている。
【００１５】
各浮上保持具４は、図５（イ）に示すように、支柱材５と、ボイド材位置決め用の一対の位置決め板６，７と、上端筋受け用の受け板８とを有する。
【００１６】
支柱材５は、ボイド材３の高さよりも長い寸法を有し、その下端にはベース板５ａが備えられている。
【００１７】
位置決め板６，７及び受け板８はそれぞれ、図４（イ）に示すように、薄肉円板材９からなり、中心部に支柱差込み部１０を有する。この支柱差込み部１０は、薄肉円板材９の中心部に、支柱材５の外径よりも小さい直径の孔１０ａを有し、この孔１０ａの周縁部から外方に放射状に複数本の切込み線１０ｂを延ばして構成されているものである。
【００１８】
薄肉円板材９は、図４（ロ）に示すように、この差込み部１０に支柱材５を差し込み、切込み線１０ｂ…間の板片１０ｃ…を弾性撓み変形させて、各板片１０ｃ…を支柱材５の外周面に弾接させることによって、支柱材５の外周部に保持される。そして、この差込み方向と逆の方向に薄肉円板材９を移動させようとすると、各板片１０ｃ…がつっぱりとなって、その方向への変位動がある程度強い力でもって規制されるようになされている。このつっぱりをしっかりしたものするため、支柱材５の外周面は、微小凹凸やあるいは多数の環状溝などが備えられた粗面に形成していおくとよい。ただ、このつっぱり力を越えた力で薄肉円板材９を移動させることにより、図４（ハ）に示すように、薄肉円板材９の板片１０ｃ…の撓みの向きが移動方向とは逆の向きに変更されるようになされており、これにより、つっぱり規制の方向を図４（ロ）の場合とは逆に変更できるようになっている。
【００１９】
ボイド材３への浮上保持具４の装着は、例えば次のようにして行うことができる。即ち、まず、一方の位置決め板６を支柱材５の上端より差込み装着する。この位置決め板６は、ボイド材３の下面を受けて、ボイド材３を浮上状態に保持するものであり、従って、差込み部１０における板片１０ｃを、図５（イ）に示すように、下向きとなるようにセットする。図５（ロ）に示すように、支柱材５に差し込んだ位置決め板６を上方に強制変位動させることで、このようなセット状態にすることができる。しかる後、ボイド材３に上下方向に貫通して形成した孔３ａに支柱材５を差し込む。
【００２０】
そして、もう一方の位置決め板７を支柱材５の上端より差込み装着し、そして、上下の位置決め板６，７にてボイド材３を支柱材５の高さ方向中間部において挟み込んだ状態にする。上側の位置決め板７は、ボイド材３の上方への不本意な変位動を規制するものであり、その差込み部の板片１０ｃは下向きとなるようにセットする。これにより、ボイド材３は、支柱材５の高さ方向中間部位置に、位置保持される。支柱材５におけるボイド材３の高さ位置の調整は、上下の位置決め板６，７を上下変位動させることにより、容易に行うことができる。
【００２１】
最後に、受け板８を支柱材５の上端部に装着する。受け板８は、上側の位置決め板７から上方に所定の間隔をおき、その差込み部１０における板片１０ｃの向きを下向きにするようにセットするのがよい。
【００２２】
以上のようにして複数個の浮上保持具４…を分散状態に装着させたボイド材３を、図１（ハ）に示すように、ベース板５ａを床型枠１の上面に接地するようにしてセットする。これにより、ボイド材３は、床型枠１の上面から所定高さ上方に浮上した離間状態にセットされる。本実施形態では、ボイド材３を、図６に示すように、水平直交２方向に間隔的に配列してセットするようにしている。
【００２３】
しかる後、図２（ニ）に示すように、ボイド材３…間の間隔スペースを利用して、スラブ梁筋１２をセットする。スラブ梁筋１２は、図６に示すように、ボイド材３…間の間隔スペースを利用して、格子状にセットするようにする。
【００２４】
そして、図２（ホ）に示すように、メッシュ状の上端筋１３をセットし、図２（ヘ）に示すように、コンクリート１４を打設する。コンクリート１４は、ボイド材３…の下面側にも充填しなければならないため、高流動コンクリートを用いるのがよい。高流動コンクリートは富調和なコンクリートであるため、高流動コンクリートを用いることで、コンクリートのひび割れ抑制、高強度などの有利性を派生的に発揮しうる。コンクリートの打設によって、ボイド材３には浮き上がり方向の力、即ち浮力が作用するが、受け板８に上端筋１３が支承されているため、上端筋１３の自重によって、ボイド材３の浮き上がりは阻止され、これにより、ボイド材３はコンクリート１４中に埋込み状態になる。以上のようにして、ハーフＰＣ版を用いることなく、現場にて中空スラブが構築される。
【００２５】
以上に本発明の一実施形態方法を示したが、本発明はこれに限られるものではなく、発明思想を逸脱しない範囲で各種変形が可能である。例えば、スラブ梁筋１２に替え、図７に示すように、トラス筋１６が用いられた構成となされていてもよいし、スラブ梁筋とトラス筋とが複合的に用いてもよい。また、請求項１、２の発明では、荷重を一方向にのみ伝える一方向版として構成されていてもよいし、また、ボイド材３の形状やサイズに特段の制限はなく、各種形状、サイズの棒度材が用いられてよい。また、請求項１の発明では、上記以外のその他の浮上保持具を用いてボイド材を浮上状態に保持するようにしてもよい。
【００２６】
【発明の効果】
上述の次第で、本発明の、中空スラブの現場構築方法は、ボイド材を床型枠から浮上状態にセットしてコンクリートを打設するものであるから、ボイド材をコンクリート層の厚さ方向中間部に埋込み状態にすることができ、従来のようなハーフＰＣ版の使用を排除できて、輸送コストや揚重費用を低く抑えてコスト的に有利に中空スラブを現場構築することができる。
【００２７】
また、支柱材と、上記のような特定構造の位置決め板とを用いて、ボイド材の浮上セットを行うことで、ボイド材を、簡素な構造にて、浮上状態にしっかりと位置決め保持することができ、しかも、ボイド材へのこれら浮上保持具の装着も非常に容易に行えて、ボイド材を容易に浮上状態にセットすることができる。
【００２８】
更に、ボイド材がボックス塊状のものからなり、多数のこのボイド材を用い、これらボイド材を、水平直交２方向に間隔的に配列してセットすると共に、ボイド材間の間隔スペースを利用して、スラブ梁筋及び／又はトラス筋を格子状にセットすることにより、荷重を２方向に伝達できる、強度面での性能に優れた中空スラブを構築することができる。
【図面の簡単な説明】
【図１】図（イ）ないし図（ハ）は図２（ニ）〜（ヘ）とともに実施形態方法を順次に示す断面図である。
【図２】図（ニ）ないし図（ヘ）は図１（イ）〜（ハ）とともに実施形態方法を順次に示す断面図である。
【図３】図（イ）（ロ）はそれぞれ浮上保持具を装着したボイド材の斜視図である。
【図４】図（イ）ないし図（ハ）はそれぞれ、浮上保持具における位置決め板及び受け板の取付け方法を示す斜視図である。
【図５】図（イ）は浮上保持具によるボイド材の保持状態を示す断面側面図、図（ロ）は下側の位置決め板の装着方法を示す断面側面図である。
【図６】実施形態における中空スラブの平面図である。
【図７】変形例を示すもので、中空スラブの断面図である。
【符号の説明】
１…床型枠
３…ボイド材
４…浮上保持具
５…支柱材
６…位置決め板
７…位置決め板
１０…支柱差込み部
１０ｂ…切込み線
１０ｃ…板片
１２…スラブ梁筋
１４…コンクリート
１６…トラス筋
【図１】
0004024399.tif 000002
【図２】
0004024399.tif 000003
【図３】
0004024399.tif 000004
【図４】
0004024399.tif 000005
【図５】
0004024399.tif 000006
【図６】
0004024399.tif 000007
【図７】
0004024399.tif 000008